(57)【特許請求の範囲】
【請求項１】
手摺支柱下部を躯体に形成する孔に固定充填材をもって埋設する場合において、手摺支柱と固定充填材界面および固定充填材の充填部と躯体界面を覆うように成型ウレタンシートを貼設することを特徴とした手摺支柱の防水構造。
【請求項２】
成型ウレタンシートは手摺支柱が貫通する穴を設け、この穴から周縁に達する切れ込みをいれてあり、手摺支柱を回して貼り込む請求項１記載の手摺支柱の防水構造。
【請求項３】
手摺支柱下部に巻回する成型ウレタンリングを成型ウレタンシート上に載置する請求項１または請求項２記載の手摺支柱の防水構造。
【請求項４】
成型ウレタンリングは下方に広がるテーパーまたは曲面の側壁面を有する請求項１ないし請求項３のいずれかに記載の手摺支柱の防水構造。
【請求項５】
成型ウレタンリングは手摺支柱が貫通する穴から外周に達する切れ込みをいれてあり、手摺支柱を回して取付ける請求項１ないし請求項４のいずれかに記載の手摺支柱の防水構造。
【発明の詳細な説明】
【技術分野】
【０００１】
本発明は、屋上の周縁部やベランダの外縁部など建物その他のコンクリート構造物に固定される手摺支柱の防水構造に関するものである。
【背景技術】
【０００２】
主にコンクリート構造物に固定される手摺支柱は、下記特許文献もその１つであるが、図４に示すように構造物(躯体１)に埋め込まれたアンカー用の鉄筋２に手摺支柱３を溶接固定し、この固定部分をモルタル等の固定充填材４で充填補修する方法が一般的である。なお、固定充填材４の配置は躯体１に形成した凹所に充填する場合が多い。
【特許文献１】特開２０１０−２０９５９７号公報
【０００３】
そして、防水として手摺支柱３の周囲にはこれを取り囲むように溝６を形成し、そこにエポキシ樹脂等の支柱廻りシール材５を配設する。
【発明の概要】
【発明が解決しようとする課題】
【０００４】
前記支柱廻りシール材５による手摺支柱の防水方法では、手摺の設置個所が雨天に晒される外部の場合、雨水が固定充填材４であるモルタル補修界面Ａより廻り込み、または界面に留まり、溶接固定部や手摺支柱本体を腐食させ錆を誘発する状況が多々見られる。
【０００５】
また、既設の手摺の手摺支柱に後から防水を施すことは困難である。
【０００６】
本発明の目的は前記従来例の不都合を解消し、簡単かつ確実に、防水処置を施すことができ、しかも立設されている手摺支柱に対しても後から防水処置を施すことができる手摺支柱の防水構造を提供することにある。
【課題を解決するための手段】
【０００７】
前記目的を達成するため請求項１記載の本発明は、手摺支柱下部を躯体に形成する孔に固定充填材をもって埋設する場合において、支柱と固定充填材界面および固定充填材の充填部と躯体界面を覆うように成型ウレタンシートを貼設することを要旨とするものである。
【０００８】
請求項１記載の本発明によれば、防水施工としては成型ウレタンシートを接着して貼り込むだけでよく、しかも、一つのシートで支柱と固定充填材界面および固定充填材界面と躯体界面の両方の界面からの雨水進入を防止し手摺支柱周辺の腐食、錆の誘発を防ぎ手摺の劣化を抑えることができる。
【０００９】
請求項２記載の本発明は、成型ウレタンシートは支柱が貫通する穴を設け、この穴から周縁に達する切れ込みをいれてあり、手摺支柱を回して貼り込むことを要旨とするものである。
【００１０】
請求項２記載の本発明によれば、成型ウレタンシートを手摺支柱を回して貼り込むことにより、すでに立設されている手摺支柱、例えば笠木や横桟などが取り付いている手摺支柱に対しても簡単に取り付けることができる。
【００１１】
請求項３記載の本発明は、手摺支柱に巻回する成型ウレタンリングを成型ウレタンシート上に載置することを要旨とするものである。
【００１２】
請求項３記載の本発明によれば、成型ウレタンシート上に成型ウレタンリングを支柱に巻回する成型ウレタンリングを載置することにより、成型ウレタンシートと支柱との境界もこの成型ウレタンリングでシールでき、成型ウレタンリングをカバーとしてデザイン性の向上により完全な防水を行うことができる。
【００１３】
請求項４記載の本発明は、成型ウレタンリングはテーパーまたは曲面の下方に広がる側壁面を有することを要旨とするものである。
【００１４】
請求項４記載の本発明によれば、成型ウレタンリングは角張らないものとして配置することができ、デザイン性の向上に役立つとともに、手摺支柱を伝わって落下する水を流すことができる。
【００１５】
請求項５記載の本発明は、成型ウレタンリングは支柱が貫通する穴から外周に達する切れ込みをいれてあり、手摺支柱を回して取付けることを要旨とするものである。
【００１６】
請求項５記載の本発明によれば、前記成型ウレタンシートと同様に成型ウレタンリングも手摺支柱を回して貼り込むことにより、すでに立設されている手摺支柱に対しても簡単に取付けることができる。
【発明の効果】
【００１７】
以上述べたように本発明の手摺支柱の防水構造は、手摺支柱下部を躯体に形成する孔に固定充填材をもって埋設する場合において、簡単かつ確実に、手摺支柱に柱と固定充填材界面および固定充填材と躯体界面からの雨水進入を防止し手摺支柱周辺の腐食、錆の誘発を防ぎ手摺の劣化を抑える防水処置を施すことができるものである。
【発明を実施するための形態】
【００１８】
以下、図面について本発明の実施の形態を詳細に説明する。図１は本発明の手摺支柱の防水構造の概要を示す一部切り欠いた斜視図で、前記従来例を示す図４と同一構成要素には同一参照番号を付したものである。
【００１９】
すなわち、手摺支柱３は、構造物(躯体１)に埋め込まれたアンカー用の鉄筋２に手摺支柱３を溶接固定し、この固定部分をモルタル等の固定充填材４で充填補修されている。
【００２０】
また、防水として手摺支柱３の周囲にはこれを取り囲むように支柱廻りシール材５を配設している。
【００２１】
本発明の防水構造は、既設の手摺の手摺支柱に施す場合でも、また、新設の手摺の手摺支柱に施す場合でもどちらも施工が可能である。
【００２２】
図中７は成型ウレタンシートで、その平面形状が四角形をなし、中央部には手摺支柱３が貫通する穴１０を設け、この穴１０から周縁に達する切れ込み１１をいれて手摺支柱３を回して貼り込むことができるものとした。
【００２３】
手摺支柱３を回して貼り込む時に、切れ込み１１をウレタン特殊シール１４で封止する。このように切れ込み１１を封止するウレタン特殊シール１４はウレタン系の接着材で、いわゆる共材で接着するものである。ちなみに、このウレタン特殊シール１４には、１成分型ポリウレタン系シーリング材としてノンブリードタイプ（可塑剤配合なし）、例えばオート化学工業株式会社の、製品名「オートンノンブリードＱィック」（常温硬化型）や製品名「超耐シーラーＴＦ２０００」が好適である。
【００２４】
なお、成型ウレタンシート７の平面形状は特に限定されず設置面の形状に合わせて適宜選択可能である。また、穴１０の形状も手摺支柱３の形状に合わせて適宜選択できる。
【００２５】
成型ウレタンシート７は軟質ポリウレタン系樹脂製である。これにより、設置される躯体１の面およびモルタル等の固定充填材４の充填面の形状に追随して容易にこれらを被覆可能である。
【００２６】
本発明における軟質ポリウレタン系樹脂とは、少なくとも、ポリイソシアネートとポリオールとを反応させて得られる、ポリウレタン結合を有するエラストマーを意味する。ただし、これにはポリイソシアネートと、ポリアミンまたは水とを反応させたポリウレアを含んでいてもよい。
【００２７】
成型ウレタンシート７に用いる軟質ポリウレタン系樹脂としては、可塑剤の含有率が５質量％以下であることが好ましく、実質的に含まないことが特に好ましい。これは、可塑剤の含有率が多い場合は、切れ込み１１をウレタン特殊シール１４で封止するのに接着性が悪くなりやすいためである。
【００２８】
ポリウレタン系樹脂としては特に限定されず、従来公知のものが使用でき、例えば、熱硬化性ポリウレタン樹脂、熱可塑性ポリウレタン樹脂等が使用できる。なお、この成型ウレタンシート７の素材には、ユープレクス株式会社の製品名アスミック（登録商標）が好適である。
【００２９】
下記表１にも示すように、本発明においては、成型ウレタンシート７は十分な耐亀裂性を有するために、ＪＩＳ−Ａ６０２１に規定される引張性能試験において、引張強さが11.2Ｎ／ｍｍ2以上であり、かつ破断時の伸び率が952％以上であることが好ましい。引張強さが11.2Ｎ／ｍｍ2未満または破断時の伸び率が952％未満の場合、下地の亀裂やひび割れ等の挙動に対しての十分な追従性がないために、シートが破断しやすくなるので好ましくない。ここでＪＩＳ−Ａ６０２１に規定される引張性能試験とは、ダンベル状３号形の形状で、５００ｍｍ／ｍｉｎの引張速度で試験片が破断するまで引っ張った時の引張強さと破断時の伸び率である。
【表１】
0005628391.tif 000002
【００３０】
成型ウレタンシート７の厚さは任意であるが、防水性能の点から０．２〜１０ｍｍが好ましく、より好ましくは０．５〜５ｍｍである。
【００３１】
成型ウレタンシート７の厚さが０．２ｍｍ未満では十分な耐亀裂性がなく、成型ウレタンシート７が破断しやすくなって防水性能が低くなるので好ましくない。１０ｍｍを超えると、成型ウレタンシート７の可撓性が悪くなり、躯体１やモルタル等の固定充填材４の下地形状への適合性が低下して、成型ウレタンシート７と下地との間の気密性が低下するので好ましくなく、また、成型ウレタンシート７と下地との段差が大きくなる点からも好ましくない。
【００３２】
さらに、下方に広がるテーパーまたは曲面の側壁面９aを有する成型ウレタンリング９を手摺支柱３の下部に巻回して前記成型ウレタンシート7上に載置した。
【００３３】
成型ウレタンリング９の材質は成型ウレタンシート7と同じでよく、図示の例では矩形のリングで、下方に広がるテーパーまたは曲面の側壁面９aがあるので台形状のものなるが、特に形状に限定はなく、手摺支柱３に合わせて円形で、ドーナツを横に上下に半分にしたような形なども選択できる。
【００３４】
成型ウレタンリング９も手摺支柱３が貫通する穴１３から外周に達する切れ込み１２をいれてあり、手摺支柱３を回して取付けるもので、後で切れ込み１２をウレタン特殊シール１４で封止する。
【００３５】
次に施工の手順を説明する。
１）被着部分を清掃し専用のシーラーを塗布。
２）ウレタン特殊シール１４を被着部分に塗布し、成型ウレタンシート７を接着する。
３）手摺支柱３に予めセットした成型ウレタンリング９（ウレタンリムシート化粧カバー）をウレタン特殊シール１４を用いて手摺支柱３および成型ウレタンシート７に接着する。
【００３６】
なお、成型ウレタンリング９（ウレタンリムシート化粧カバー）を使用しない場合には、図３に示すように成型ウレタンシート7と手摺支柱３の取り合いをウレタン特殊シール１４を三角シール１５として盛り上げて、止水すると同時に水切りを良くする。
【図面の簡単な説明】
【００３７】
【図１】本発明の手摺支柱の防水構造の概要を示す一部切り欠いた斜視図である。
【図２】本発明の手摺支柱の防水構造の第１実施形態を示す説明図である。
【図３】本発明の手摺支柱の防水構造の第２実施形態を示す説明図である。
【図４】従来例を示す一部切り欠いた斜視図である。
【符号の説明】
【００３８】
１…躯体                ２…アンカー用の鉄筋
３…手摺支柱            ４…固定充填材
５…支柱廻りシール材    ６…溝
７…成型ウレタンシート
９…成型ウレタンリング  ９a側壁面
１０…穴                １１…切れ込み
１２…切れ込み          １３…穴
１４…ウレタン特殊シール
【要約】
【課題】簡単かつ確実に、防水処置を施すことができ、しかも立設されている手摺支柱に対しても後から防水処置を施すことができる。
【解決手段】手摺支柱３の下部を躯体１に形成する孔に固定充填材４をもって埋設する場合において、手摺支柱３と固定充填材４の界面Ｃおよび固定充填材４の充填部と躯体１の界面Ｂを覆うように成型ウレタンシート７を貼設する。
【選択図】  図１【図１】
0005628391.tif 000003
【図２】
0005628391.tif 000004
【図３】
0005628391.tif 000005
【図４】
0005628391.tif 000006